(57)【特許請求の範囲】
【請求項１】
容器体１口頸部へ嵌合させたキャップ３内から容器体内へ化粧ブラシ４を垂設したマスカラ容器において、
上記キャップ３を、化粧ブラシ４を筒下部内から垂下すると共に、上部に回動可能に化粧用品保持筒５を有するキャップ本体６と、キャップ本体６を覆うキャップ本体カバー７とで形成し、
上記キャップ本体６は、容器体口頸部へ嵌合させた嵌合筒８上部を上向き段部９を介して小外径に形成し、かつ該小外径部１０上面から左右一対の支持板１１を対向させて起立し、これら両支持板上端部間へ上下両端開口の筒体１３の左右両側壁の中央部を前後方向へ回動自在に枢着させ、かつ筒体１３の上半部と下半部とのそれぞれへ互いに種類が異なる化粧用品１５、１６の一部を端部を露出させて嵌合させて化粧用品保持筒５を形成し、
上記キャップ本体カバー７は、上記化粧用品保持筒５を挿入させた有頂の筒体２３をして筒下端を上記上向き段部９上面へ載置させると共に、筒下部を小外径部１０外面へ着脱可能に嵌合させ、
更に１つの種類の化粧用品が両支持板１１間上方に、かつ他の種類の化粧用品が両支持板下部間に位置する第１位置と、該第１位置から回動して他の種類の化粧用品が両支持板間上方に、かつ１つの種類の化粧用品が両支持板下部間に位置する第２位置とのそれぞれの位置に化粧用品保持筒５を保持させる凹凸の係合手段から形成したクリック機構１９を、化粧用品保持筒５の左右両側壁と両支持板１１との間に設けた、
ことを特徴とするマスカラ容器。
【発明の詳細な説明】
【０００１】
【発明の属する技術分野】
本発明はマスカラ容器に関する。
【０００２】
【従来の技術】
例えば、実開昭６２−７３８１６号等が示すように、容器体口頸部へ嵌合させたキャップ内から容器体内へ化粧ブラシを垂設したマスカラ容器が知られている。
【０００３】
【発明が解決しようとする課題】
マスカラを使用する場合、同時に他の化粧料や塗布具等を使用して目元に化粧を施すことが多く、このためマスカラ容器、化粧料、塗布具等を同時に収容可能な、特に携帯に適したコンパクトな容器が求められていた。
【０００４】
請求項１記載の発明に係るマスカラ容器は、キャップ本体に異なる種類の化粧用品を回動可能に設けることにより、容器のコンパクト化を図ろうとするものである。
【０００５】
【課題を解決するための手段】
第１の手段として、容器体１口頸部へ嵌合させたキャップ３内から容器体内へ化粧ブラシ４を垂設したマスカラ容器において、
上記キャップ３を、化粧ブラシ４を筒下部内から垂下すると共に、上部に回転可能に化粧用品保持筒５を有するキャップ本体６と、キャップ本体６を覆うキャップ本体カバー７とで形成し、
上記キャップ本体６は、容器体口頸部へ嵌合させた嵌合筒８上部を上向き段部９を介して小外径に形成し、かつ該小外径部１０上面から左右一対の支持板１１を対向させて起立し、これら両支持板上端部間へ上下両端開口の筒体１３の左右両側壁の中央部を前後方向へ回動自在に枢着させ、かつ筒体１３の上半部と下半部とのそれぞれへ互いに種類が異なる化粧用品１５、１６の一部を端部を露出させて嵌合させて化粧用品保持筒５を形成し、
上記キャップ本体カバー７は、上記化粧用品保持筒５を挿入させた有頂の筒体２３をして筒下端を上記上向き段部９上面へ載置させると共に、筒下部を小外径部１０外面へ着脱可能に嵌合させ、
更に１つの種類の化粧用品が両支持板１１間上方に、かつ他の種類の化粧用品が両支持板下部間に位置する第１位置と、該第１位置から回動して他の種類の化粧用品が両支持板間上方に、かつ１つの種類の化粧用品が両支持板下部間に位置する第２位置とのそれぞれの位置に化粧用品保持筒５を保持させる凹凸の係合手段から形成したクリック機構１９を、化粧用品保持筒５の左右両側壁と両支持板１１との間に設けた。
【０００６】
【発明の実施の形態】
以下、本発明に係るマスカラ容器の実施形態を図面を参照しながら説明する。１は容器体で、下面を閉塞する底壁から胴部２を起立し、該胴部上端部から肩部を介して口頸部を起立する。
３はキャップで、化粧ブラシ４を筒下部内から容器体１内へ垂下すると共に、上部に回動可能に化粧用品保持筒５を有するキャップ本体６と、該キャップ本体を覆うキャップ本体カバー７とで形成する。
【０００７】
キャップ本体６は、容器体１口頸部外面へ嵌合させた嵌合筒８上部を上向き段部９を介して小外径に形成し、かつ該小外径部１０上面から左右一対の支持板１１を対向させて起立し、一方の支持板（図示例では右側の支持板）の上端部の前後方向中間部に軸孔１２を形成する。
そして、両支持板１１上端部間へ上下両端開口の筒体１３の下半部を嵌合させて、その筒体の右側壁の中央部から突設した回動軸１４を軸孔１２へ回動自在に嵌合させる。
【０００８】
さらに、筒体１３の上半部にスポンジ等から形成した塗布具１５の下部を嵌合させて上部を露出させると共に、下半部に化粧料を含浸させた硬質のフェルト状材等の化粧料１６の上部を嵌合させて下部を露出させることにより化粧用品保持筒５を形成する。
なお、小外径部１０外面に上下方向への突条１８を周方向に所定の間隔をおいて複数形成する。
【０００９】
１９はクリック機構で、両支持板１１上部内面の前後方向中間部に、上下に延びる凹溝２０を形成し、また化粧用品保持筒５の左右両側面の中央部に上下に延びる突条２１を形成して、この突条を凹溝２０へ離脱可能に係合させる。
キャップ本体カバー７は、キャップ本体６を挿入させた有頂の筒体２３をして筒下端を上向き段部９上面へ載置させると共に、筒下部を小外径部１０外面へ着脱可能に嵌合させる。
なお、化粧ブラシ４は、嵌合筒８の下端部へ嵌合させて容器体１内へ垂下するブラシ軸２５下端部にブラシ２６を形成する。
【００１０】
次に本実施形態の作用について説明する。
図１はキャップ本体６を容器体１へ嵌合させ、またキャップ本体カバー７をキャップ本体６へ嵌合させた状態を示すもので、マスカラを使用するには容器体１からキャップ本体６を上方へ離脱させて化粧ブラシ４を露出させる。
塗布具１５を使用するには、図１において、キャップ本体カバー７をキャップ本体６から上方へ離脱させて塗布具１５を露出させる。
【００１１】
化粧料１６を使用するには、塗布具１５が露出した状態から化粧用品保持筒５を前後どちらかの方向へ約１８０°回動させて、図３に示すように、化粧料１６を支持板１１間上方へ位置させると共に、塗布具１５を支持板１１下部間へ位置させる。
一方、化粧用品保持筒５を回動させると、突条２１が凹溝２０から離脱して支持板１１内面沿いに摺動し、化粧用品保持筒５が約１８０°回動した時点で突条２１が再度凹溝２０へ係合して、化粧用保持筒５を当該位置に保持する。
再度、塗布具１５を使用するには、図３の状態から化粧用品保持筒５を約１８０°回動させればよく、するとこの回動によって凹溝２０から離脱した突条２１が再度凹溝２０へ係合して、塗布具１５が支持板１１間上方に位置した状態に化粧用品保持筒５を保持する。
【００１２】
【発明の効果】
請求項１記載の発明に係るマスカラ容器は、化粧ブラシを垂下するキャップ本体に異なる種類の化粧用品を嵌合させた化粧用品保持筒を取り付けたので、マスカラ使用時において、他の化粧料や塗布具等の迅速な使用が可能になる。
また、化粧用品保持筒を支持板に回動可能に取り付けて、クリック機構により１つの種類の化粧用品と他の種類の化粧用品とのどちらか一方が他方よりも上方に位置するようにしたので、複数の化粧用品を有するにも関わらず細長筒にすることができ、このため外観性が向上すると共に、容器のコンパクト化が図れて携帯性も向上する。
【図面の簡単な説明】
【図１】本発明に係るマスカラ容器を示すもので、キャップ本体カバーをキャップ本体へ嵌合させた状態を示す斜視図。
【図２】同じく、キャップ本体の右半部を断面にした正面図。
【図３】同じく、キャップ本体カバーをキャップ本体から取り外して、化粧用品保持筒を図１の状態から１８０°回動させた状態を示す斜視図。
【符号の説明】
１  容器体
３  キャップ
４  化粧ブラシ
５  化粧用品保持筒
６  キャップ本体
７  キャップ本体カバー
８  嵌合筒
９  上向き段部
１０  小外径部
１１  支持板
１２  軸孔
１３  筒体
１４  回動軸
１５、１６  化粧用品
１９  クリック機構
２３  筒体
【図１】
0003698236.tif 000002
【図２】
0003698236.tif 000003
【図３】
0003698236.tif 000004